(57)【要約】【課題】接点信号数が増加した際にも、構成を複雑化させることなく部品点数を抑えた信号判定回路を得る。【解決手段】直列に接続された複数の抵抗器のそれぞれに、機器の動作ステータス等を通知するための接点信号を並列に接続した上で、これら直列に接続された複数の抵抗器に通電する。そして、接点信号の開閉状態で変化する複数の抵抗器全体の抵抗値をモニタ電圧の変化として検出するとともに、あらかじめ接点信号の開閉状態と対応付けて設定された基準電圧とこのモニタ電圧とを比較することにより接点信号の状態を判定し、さらにその判定結果に基づき警報通知を行う。【選択図】図１
2011069760.tif 000002
【特許請求の範囲】
【請求項１】
直列に接続された複数の抵抗器と、
前記直列に接続された複数の抵抗器の両端に電流制限抵抗器を経由して接続された電源と、
前記直列に接続された複数の抵抗器のそれぞれの抵抗器に並列に接続され、開または閉のどちらかの状態を示す複数の接点信号と、
前記直列に接続された複数の抵抗器の両端の電圧値を取得するとともに、取得した電圧値をあらかじめ設定された基準値と比較してその結果を通知する判定手段と
を備えたことを特徴とする信号判定回路。
【請求項２】
前記判定手段は、前記接点信号の状態に対応した複数の基準値を有し、前記取得した電圧値とこれら複数の基準値との比較結果に基づき、前記複数の接点信号の中で開または閉の状態にある接点信号の数を判定するとともに、そのどちらかが所定数以上の場合には警報通知することを特徴とする請求項１に記載の信号判定回路。
【発明の詳細な説明】
【技術分野】
【０００１】
本発明は、信号判定回路に係り、特に、例えば動作ステータス等を通知するために用いられる接点信号の開閉状態を判定する信号判定回路に関する。
【背景技術】
【０００２】
図２は、複数の機器から送出される、開または閉の状態を示す接点信号を受けとり、それらの状態判定を行って結果を出力する従来の信号判定回路のブロック図の一例を示している。この事例では、例えば、それぞれの接点信号は、開または閉の状態を自器の動作ステータス（正常または異常）に対応させてこれを外部に通知するための信号として各機器から出力されるものとし、信号判定回路では、これら接点信号をモニタしながら対象機器の動作ステータスを判定している。
【０００３】
この図２に例示したように、この信号判定回路においては、外部の各機器等から送られてくる接点信号ＡＬＭ＃１〜ＡＬＭ＃ｎは、それぞれの信号線の一方はプルアップ抵抗ＰＲ１２１１〜Ｒｎ２１ｎを通して電源Ｅ（図示せず）にプルアップされ、他方は電源Ｅのリターン線に接続されている。プルアップされたｎ個の信号線は、それぞれにＯＲ回路部２２に接続され、ＯＲ回路部２２においてそれらの論理和が算出される。ＯＲ回路部２２は、例えば、ＣＭＯＳやＴＴＬによる汎用のロジック集積回路、あるいは複数のダイオード素子等により構成される。そして、各接点信号の状態があらかじめ設定されたＯＲ回路部２２の論理に基づいて総合的に判定されＡＬＭ信号として通知されるとともに、さらにその判定結果に対応づけるように、例えば、動作ステータスとしての機器の異常動作等の場合には警報出力等も行われる。
【０００４】
なお、特許文献１には、複数のステータス信号の論理和に基づいて、電力変換器の素子異常を検出する手法が開示されている。
【先行技術文献】
【特許文献】
【０００５】
【特許文献１】特開平１１−６９７７３号公報（第４ページ、図２）
【発明の概要】
【発明が解決しようとする課題】
【０００６】
開または閉状態により動作ステータスを表す信号を複数組取り込んで判定を行う場合、上述のように、信号の受け回路としてのプルアップ抵抗等を複数の備え、ＯＲ回路等による所定の論理演算回路により信号の状態を総合的に判定し、機器の異常状態等を検出する。しかしながら、モニタする信号数が増加すると、それに連れて信号の受け回路が増えるばかりか、ＯＲ回路の入力端子の必要数も増加してしまう。また、冗長性を持たせた判断等を行うようにすると、そのための信号判定の論理構成が複雑になるとともに、必要なロジック回路数も増加する。すなわち、信号数が増加すると、それに連れて必要な部品点数も増加して部品等のレイアウトにも多くの面積を必要とし、加えて、信号判定の論理構成や接続も複雑化していた。
【０００７】
本発明は、上述の事情を考慮してなされたものであり、信号数が増加した際にも構成を複雑化させることなく部品点数を抑えた信号判定回路を提供することを目的とする。
【課題を解決するための手段】
【０００８】
上記目的を達成するために、本発明の信号判定回路は、直列に接続された複数の抵抗器と、前記直列に接続された複数の抵抗器の両端に電流制限抵抗器を経由して接続された電源と、前記直列に接続された複数の抵抗器のそれぞれの抵抗器に並列に接続され、開または閉のどちらかの状態を示す複数の接点信号と、前記直列に接続された複数の抵抗器の両端の電圧値を取得するとともに、取得した電圧値をあらかじめ設定された基準値と比較してその結果を通知する判定手段とを備えたことを特徴とする。
【発明の効果】
【０００９】
本発明によれば、接点信号数が増加した際にも、構成を複雑化させることなく部品点数を抑えた信号判定回路を得ることができる。
【図面の簡単な説明】
【００１０】
【図１】本発明に係る信号判定回路の構成の一例を示すブロック図。
【図２】従来の信号判定回路の構成の一例を示すブロック図。
【発明を実施するための形態】
【００１１】
以下に、本発明に係る信号判定回路を実施するための最良の形態について、図１及び図２を参照して説明する。
【実施例】
【００１２】
図１は、本発明に係る信号判定回路の構成の一例を示すブロック図である。図１に例示したように、この信号判定回路は、ｎ個の接点信号１１１〜１１ｎ（以下、ＡＬＭ＃１〜ＡＬＭ＃ｎと表す）、直列に接続されたｎ個の抵抗器Ｒ１１２１〜Ｒｎ１２ｎ、電流制限抵抗器Ｒｓ１３、電源１４、比較器１５、及び基準電圧設定部１６から構成されている。ｎ個の接点信号ＡＬＭ＃１〜ＡＬＭ＃ｎは、それぞれ開または閉のどちらかの状態を示す無電圧の接点信号であり、例えば、機器の動作監視用として接点の閉状態は正常、開状態を異常状態に対応させるなどして、接点の状態によりそれぞれの機器の動作ステータスが通知される。ｎ個の抵抗器Ｒ１１２１〜Ｒｎ１２ｎは、直列に接続されており、それぞれの抵抗器には、上記した接点信号が並列に接続されている。そして、接点信号が閉状態では、対応する抵抗器の両端は短絡されるように構成されている。また、それぞれの抵抗器Ｒ１１２１〜Ｒｎ１２ｎの抵抗値は、本実施例においては同一の値Ｒ０としている。なお、適用場面によってはそれぞれに異なる特定の値とする等、種々の選択が可能である。
【００１３】
これら直列に接続された抵抗器Ｒ１１２１〜Ｒｎ１２ｎの両端には、電流制限抵抗器Ｒｓ１３ａ及び１３ｂを経由し電圧Ｅの電源１４が接続され、閉回路を構成している。電流制限抵抗器Ｒｓ１３は、直列に接続されたそれぞれの抵抗器Ｒ１１２１〜Ｒｎ１２ｎのすべてが、接点信号によって短絡された場合に、回路に流れる電流を制限するためのものである。比較器１５は、直列に接続された抵抗器Ｒ１１２１〜Ｒｎ１２ｎにリターン側の電流制限抵抗器１３ｂを含む両端の電圧をモニタ電圧として取得し、これを基準電圧設定部１６からの基準電圧と比較してその結果をＡＬＭ信号として通知する。基準電圧設定部１６は、あらかじめ設定された基準電圧を比較器１５に供給する。本実施例においては、ｎ個の接点信号のそれぞれの開または閉状態に対応した複数の基準電圧が設定されているものとしている。すなわち、例えば、すべてが閉状態、すべてが開状態、あるいは特定数がそれぞれ閉及び開状態等に対する基準電圧が設定されているものとしている。
【００１４】
次に、図１を参照して上述のように構成された本発明に係る信号判定回路の動作について説明する。なお、以下の説明では、ｎ個の接点信号ＡＬＭ＃１〜ＡＬＭ＃ｎは、いずれも動作監視対象の機器の動作ステータスを通知するものとし、閉状態では正常を、また開状態では異常をそれぞれ示しているものとしている。
【００１５】
まず、図１において、各機器の動作ステータスがすべて正常であるとすると、ｎ個の接点信号ＡＬＭ＃１〜ＡＬＭ＃ｎは、いずれも閉状態となり、直列に接続された抵抗器Ｒ１１２１〜Ｒｎ１２ｎは、いずれもこれら接点信号によって短絡された状態となる。この時、モニタ電圧は、電源１４の電圧Ｅが２つの電流制限抵抗器Ｒｓ１３ａ及び１３ｂにより分圧された電圧となる。すなわち、電流制限抵抗器Ｒｓ１３ａ及び１３ｂの抵抗値をいずれもＲ０とすると、Ｒ０／（Ｒ０＋Ｒ０）＊Ｅ＝０．５Ｅとなる。このモニタ電圧は、比較器１５に送られ、あらかじめ基準電圧設定部１６により設定された複数の基準電圧と比較される。
【００１６】
ここで、複数設定された基準電圧の中に、上記した０．５Ｅが設定され、且つこの値はすべての接点が閉状態である場合のものとして設定されているものとすると、比較の結果、ｎ個の接点信号ＡＬＭ＃１〜ＡＬＭ＃ｎは、すべて閉の状態にあると判定される。次いで、この判定結果に基づき警報の通知の要否が判定される。ここでは、すべての接点信号が閉の状態にあることから、動作監視対象の機器の動作ステータスはいずれも正常状態であると判定され、警報の通知はなされない。そして、これらの判定結果が、比較器１５からのＡＬＭ信号により通知される。
【００１７】
一方、例えば、ＡＬＭ＃１に対応した機器の動作ステータスが異常となって接点信号ＡＬＭ＃１が開状態になった場合には、直列に接続された抵抗器Ｒ１１２１〜Ｒｎ１２ｎの中で、Ｒ１１２１は短絡されず、残りの抵抗器Ｒ２１２２〜Ｒｎ１２ｎはいずれも短絡された状態となる。そして、この時のモニタ電圧は、電源１４の電圧Ｅが電流制限抵抗器Ｒｓ１３ａの抵抗値と、Ｒ１１２１及び電流制限抵抗器Ｒｓ１３ｂの和の抵抗値とで分圧された電圧となる。すなわち、いずれの抵抗器の抵抗値もＲ０であるので、２＊Ｒ０／３＊Ｒ０＝０．６７Ｅとなり、このモニタ電圧が比較器１５に送られて複数の基準電圧と比較される。
【００１８】
そして、１つの接点信号が開の状態にある場合の基準電圧としてこの０．６７Ｅが設定されていると、比較器１５では、ｎ個の接点信号ＡＬＭ＃１〜ＡＬＭ＃ｎのいずれか１つが開の状態にあると判定される。従って、これに続く警報の通知の判定については、動作監視対象の機器のいずれかの動作ステータスに異常状態が検出されたことになるので、少なくとも１つの異常を検出した場合に警報を通知するものとすれば、この場合にはＡＬＭ信号に警報が含まれて通知される。
【００１９】
なお、２以上の接点信号が開状態になった場合についても、その時のモニタ電圧をあらかじめ基準電圧設定部１６により設定しておくことにより、上記した動作と同様の動作によりその状態が判定され、警報が通知される。
【００２０】
以上説明したように、本実施例においては、直列に接続された複数の抵抗器のそれぞれに、機器の動作ステータス等を通知するための接点信号を並列に接続した上で、これら直列に接続された複数の抵抗器に通電している。そして、接点信号の開閉状態で変化する複数の抵抗器全体の抵抗値をモニタ電圧の変化として検出するとともに、あらかじめ接点信号の開閉状態と対応付けて設定された基準電圧とこのモニタ電圧とを比較することにより接点信号の状態を判定し、さらに、その判定結果に基づき警報通知を行っている。
【００２１】
このように、接点信号は各抵抗器の両端に接続するだけでよく、また、接点信号数の増減に対しても基準電圧を再設定するだけでよいので、接点信号数が増加した際にも、構成を複雑化させることなく部品点数を抑えた信号判定回路を得ることができる。
【００２２】
なお、本発明は、上記した実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００２３】
１３  電流制限抵抗器
１４  電源
１５  比較器
１６  基準電圧設定部
１１１〜１１ｎ  接点信号
１２１〜１２ｎ  抵抗器
【図１】
2011069760.tif 000003
【図２】
2011069760.tif 000004